(57)【特許請求の範囲】
【請求項１】
１）基板上の周縁に２以上の軟性印刷回路基板を設けるステップと、
２）前記軟性印刷回路基板のうちの端部が互いに隣接するものを、ろう付けの方法で通電させるステップと、
を含み、
前記１）ステップが、
陽極パッドおよび陰極パッドが実装された下部軟性印刷回路基板と、
前記下部軟性印刷回路基板上に一部が重なるように位置し、陽極パッドおよび陰極パッドが実装された上部軟性印刷回路基板とを設けるステップであり、
前記２）ステップが、
前記上部軟性印刷回路基板の前記陽極パッドおよび前記陰極パッドのそれぞれにホールを形成し、
前記ホールにろう付けした後、前記ホールに満たされたろうによって、互いに重なった前記上部軟性印刷回路基板の陽極パッドおよび陰極パッドと、前記下部軟性印刷回路基板の陽極パッドおよび陰極パッドとをそれぞれ電気的に接続させるステップであり、
前記陽極パッドまたは前記陰極パッドの長手方向に対して、前記陽極パッドに形成されたホールの中心と前記陰極パッドに形成されたホールの中心とを連結した線のなす角度は、直角および平行でなく、互いに対角線に形成されていることを特徴とする、軟性印刷回路基板の構造体の製造方法。
【請求項２】
前記軟性印刷回路基板が、一字状の軟性印刷回路基板であることを特徴とする、請求項１に記載の軟性印刷回路基板の構造体の製造方法。
【請求項３】
前記２以上の軟性印刷回路基板が、４つの一字状の軟性印刷回路基板を含むことを特徴とする、請求項１に記載の軟性印刷回路基板の構造体の製造方法。
【請求項４】
前記軟性印刷回路基板の幅が、１〜５ｍｍであることを特徴とする、請求項１に記載の軟性印刷回路基板の構造体の製造方法。
【請求項５】
前記ろう付けに使用されるろうが、黄銅ろう、銀ろう、洋銀ろう、マンガンろう、金ろう、鉛−スズの合金、鉛−スズ−亜鉛の合金、鉛−カドミウムの合金、亜鉛−カドミウム鉛、および鉛−スズ−ビスマス系の合金のうちのいずれか１であることを特徴とする、請求項１に記載の軟性印刷回路基板の構造体の製造方法。
【請求項６】
前記１）ステップが、前記下部軟性印刷回路基板の端部上に前記上部軟性印刷回路基板の端部が重なるように設けるステップであることを特徴とする、請求項１に記載の軟性印刷回路基板の構造体の製造方法。
【請求項７】
前記ホールの直径が、前記陽極パッドおよび陰極パッドの幅と等しいか、小さいことを特徴とする、請求項１に記載の軟性印刷回路基板の構造体の製造方法。
【請求項８】
前記陽極パッドのホールの中心と前記陰極パッドのホールの中心との間の距離が、０．５〜２ｍｍであることを特徴とする、請求項１に記載の軟性印刷回路基板の構造体の製造方法。
【請求項９】
前記上部軟性印刷回路基板および下部軟性印刷回路基板が、２層以上の多層構造であることを特徴とする、請求項１に記載の軟性印刷回路基板の構造体の製造方法。
【請求項１０】
前記上部軟性印刷回路基板の最外郭層が、前記上部軟性印刷回路基板の長手方向に延びて設けられ、
前記下部軟性印刷回路基板上に前記上部軟性印刷回路基板の最外郭層の端部が重なるように位置することを特徴とする、請求項９に記載の軟性印刷回路基板の構造体の製造方法。
【請求項１１】
前記上部軟性印刷回路基板及び下部軟性印刷回路基板は、３層以上の多層構造を有し、
少なくとも前記上部軟性印刷回路基板及び下部軟性印刷回路基板のいずれかの多層構造の最上層が電極として機能し、最下層は発光部の電極と異方性導電フィルムで結合され、前記最上層からパワーを受けて前記発光部に前記パワーを伝達する機能を有し、前記最上層と前記最下層との間に配置される中間層は、互いに離隔している同一電極を等電位させる機能を有することを特徴とする、請求項１に記載の軟性印刷回路基板の構造体の製造方法。
【発明の詳細な説明】
【技術分野】
【０００１】
本明細書は、ディスプレイ素子において、基板上に設けられた軟性印刷回路基板の構造体の製造方法に関するものである。
【０００２】
本願は、２０１３年７月２４日付で韓国特許庁に提出された韓国特許出願第２０１３−００８７５２４号の出願日の利益を主張し、その内容のすべては本明細書に組み込まれる。
【背景技術】
【０００３】
軟性印刷回路基板（Ｆｌｅｘｉｂｌｅ  Ｐｒｉｎｔｅｄ  Ｃｉｒｃｕｉｔｓ  Ｂｏａｒｄ）は、電子製品の小型化および軽量化に伴って開発された電子部品で、作業性に優れ、耐熱性および耐曲げ性、耐薬品性が強く、熱に強くて、すべての電子製品の核心部品として有機電界発光素子（ＯＬＥＤ）、カメラ、コンピュータおよび周辺機器、携帯電話、映像オーディオ機器、ビデオカメラ、プリンタ、ディーブイディー（ＤＶＤ）、ＴＦＴ−ＬＣＤ、衛星装備、軍事装備、医療装備などにおいて広く用いられている。
【０００４】
ディスプレイ素子において、電源供給用軟性印刷回路基板は、電源供給部と画素部とを連結して、電源供給部からそれぞれの画素部に電源を供給する役割を果たす。ディスプレイ素子において、２以上の軟性印刷回路基板が画素部の外側に配置され、互いに陽極は陽極同士に、陰極は陰極同士に通電しながら、電源供給部とそれぞれの画素部とを連結する。
【０００５】
この時、効率的に電源を供給するために、軟性印刷回路基板の形態および軟性印刷回路基板の配置構造を調節することが重要である。
【発明の概要】
【発明が解決しようとする課題】
【０００６】
本明細書は、ディスプレイ素子において、基板上に設けられた軟性印刷回路基板の構造体の製造方法を提供する。
【課題を解決するための手段】
【０００７】
本発明の一実施態様は、
１）基板上の周縁に２以上の軟性印刷回路基板を設けるステップと、
２）前記軟性印刷回路基板のうちの端部が互いに隣接するものを、ろう付けおよびワイヤボンディングのうちのいずれか１つ以上の方法で通電させるステップと、
を含む軟性印刷回路基板の構造体の製造方法を提供する。
【発明の効果】
【０００８】
本発明の一実施態様は、２以上の軟性印刷回路基板を連結する時、等電位軟性印刷回路基板のような追加の構成を必要としないため、工程の簡素化および費用の節減を実現できる利点がある。
【図面の簡単な説明】
【０００９】
【図１】従来の２以上の軟性印刷回路基板を通電する構造を示す。
【図２】本発明の一実施態様による軟性印刷回路基板である。
【図３】本発明の他の実施態様による軟性印刷回路基板である。
【図４】軟性印刷回路基板の間の隔離距離を示したものである。
【図５】本発明の一実施態様による軟性印刷回路基板の構造体である。
【図６】本発明の他の実施態様による軟性印刷回路基板の構造体である。
【図７】本発明のさらに他の実施態様による軟性印刷回路基板の構造体である。
【図８】本発明のさらに他の実施態様による軟性印刷回路基板の構造体である。
【図９】下部軟性印刷回路基板と上部軟性印刷回路基板との重なる部分を示したものである。
【図１０】下部軟性印刷回路基板と多層構造の上部軟性印刷回路基板との重なる部分を示したものである。
【図１１】本発明の一実施態様による軟性印刷回路基板の構造体およびこれを含む有機発光素子を製造する手順を示す。
【図１２】本発明の一実施態様による軟性印刷回路基板の構造体を含む有機発光素子の側面図である。
【発明を実施するための形態】
【００１０】
以下、本発明について詳細に説明する。
【００１１】
図１に示されているように、従来は、基板上に２以上の軟性印刷回路基板を設けた後、互いに離隔した軟性印刷回路基板の端部に等電位軟性印刷回路基板を設け、ろう付けして軟性印刷回路基板を通電した。これは、離隔している軟性印刷回路基板間の通電時、許用電流の確保のために前記のような方法を使用した。
【００１２】
そこで、本明細書は、２以上の軟性印刷回路基板を連結する時、等電位軟性印刷回路基板なしに通電するため、等電位軟性印刷回路基板を設ける工程が省略され得、工程が簡素化されて生産性が増加する利点がある。
【００１３】
また、等電位軟性印刷回路基板の部品を備える費用を節減できる利点がある。
【００１４】
本明細書は、２以上の軟性印刷回路基板を連結する時、等電位軟性印刷回路基板なしに軟性印刷回路基板を通電する軟性印刷回路基板の構造体、その製造方法、およびこれを含む有機発光素子に関するものである。
【００１５】
本明細書は、２以上の軟性印刷回路基板を連結する時、等電位軟性印刷回路基板なく重なるように配置されるか、離隔して配置された２以上の軟性印刷回路基板が、ろう付け部およびワイヤボンディング部のうちのいずれか１つ以上だけで通電する軟性印刷回路基板の構造体に関するものである。
【００１６】
本明細書の一実施態様は、基板と、前記基板上の周縁に位置し、陽極パッドおよび陰極パッドが実装された２以上の軟性印刷回路基板と、前記軟性印刷回路基板の互いに隣接する端部に実装された陽極パッドおよび陰極パッドをそれぞれ通電するろう付け部およびワイヤボンディング部のうちのいずれか１つ以上とを含むものである、軟性印刷回路基板の構造体を提供する。
【００１７】
本明細書において、「基板上の周縁」は、基板の一側面のうちの縁または外角部分を意味する。
【００１８】
本明細書において、「互いに隣接」するとは、いずれか１つの軟性印刷回路基板ともう１つの軟性印刷回路基板とが互いに近くにあることを意味し、具体的には、互いに重畳すること（すなわち、重なること）、互いに当接したこと、および互いに離隔することを含む。
【００１９】
本明細書において、「実装（ｍｏｕｎｔｉｎｇ）」は、機器あるいは部品を基板または架台などに付着させて、実際に使用できるように配置することをいう。
【００２０】
本明細書において、軟性印刷回路基板は、絶縁フィルム基材と、前記絶縁フィルム基材に実装された陽極部および陰極部と、前記絶縁フィルム基材の両側端部に互いに平行に実装された陽極パッドおよび陰極パッドとを含むことができる。
【００２１】
この時、前記絶縁フィルム基材の両側端部に実装された陽極パッドおよび陰極パッドは、絶縁フィルム基材の一側端部に実装された一対の陽極パッドおよび陰極パッドと、絶縁フィルム基材の他側端部に実装された別の一対の陽極パッドおよび陰極パッドを意味する。
【００２２】
図２を参照して説明すれば、前記軟性印刷回路基板１００は、絶縁フィルム基材１０と、前記絶縁フィルム基材に実装された陽極部２０および陰極部２５と、前記絶縁フィルム基材の両側端部に互いに平行に実装された陽極パッド１および陰極パッド２とを含むことができる。
【００２３】
前記ろう付け部は、ろう付けによって形成された部分を意味し、前記ワイヤボンディング部は、ワイヤボンディングによって形成された部分を意味する。
【００２４】
前記ろう付けの方法は、当技術分野で知られている通常の方法を使用しており、これを限定しない。
【００２５】
前記ワイヤボンディングの方法は、当技術分野で知られている通常の方法を使用しており、これを限定しない。
【００２６】
本明細書において、前記２以上の軟性印刷回路基板は、互いに重畳しないものであってよい。すなわち、前記２以上の軟性印刷回路基板が互いに重ならなくてよい。
【００２７】
本明細書において、前記２以上の軟性印刷回路基板は、互いに離隔することができる。すなわち、前記２以上の軟性印刷回路基板が互いに一定間隔で離れた状態であってよい。
【００２８】
この時、前記軟性印刷回路基板の間の隔離距離は、０ｍｍ超過１ｍｍ以下であってよい。
【００２９】
前記軟性印刷回路基板の間の隔離距離は、図４に示されているように、互いに近い端部の間の離れた距離を意味する。
【００３０】
本明細書において、前記軟性印刷回路基板は、一字状の軟性印刷回路基板であってよい。
【００３１】
本明細書において、前記２以上の軟性印刷回路基板は、４つの一字状の軟性印刷回路基板を含むことができる。
【００３２】
本明細書において、基板が四角形の場合には、基板上の周縁、すなわち、縁に一辺あたり１つの一字状の軟性印刷回路基板を配置することができる。この場合、計４つの一字状の軟性印刷回路基板が基板の各辺に設けられる。
【００３３】
この時、四角形の基板の４つの辺に設けられた軟性印刷回路基板の端部は、それぞれ互いに重畳するか、互いに離隔して配置されてよい。
【００３４】
本明細書において、前記軟性印刷回路基板の幅は、１〜５ｍｍであってよい。
【００３５】
本明細書において、「幅」は、長手方向に垂直となる方向の長さ、すなわち、幅方向の長さを意味する。
【００３６】
本明細書において、前記軟性印刷回路基板の端部に位置する陽極パッドおよび陰極パッドは、互いに平行に実装されてよい。この時、前記陽極パッドおよび陰極パッドが実装された方向は、軟性印刷回路基板の端部に位置しながら、陽極パッドおよび陰極パッドが互いに平行であれば、特に限定されない。
【００３７】
本明細書において、前記軟性印刷回路基板の両側端部に位置する陽極パッドおよび陰極パッドは、互いに平行に実装されてよい。この時、一側端部に位置する陽極パッドおよび陰極パッドが実装された方向と、他側端部に位置する陽極パッドおよび陰極パッドが実装された方向と一致するか、互いに異なっていてよい。
【００３８】
本明細書において、前記２以上の軟性印刷回路基板のうちのいずれか１つの軟性印刷回路基板の端部に互いに平行に実装された陽極パッドおよび陰極パッドと、前記いずれか１つの軟性印刷回路基板に隣接するもう１つの軟性印刷回路基板の端部に互いに平行に実装された陽極パッドおよび陰極パッドとは、前記ろう付け部およびワイヤボンディング部のうちのいずれか１つ以上によってそれぞれ通電することができる。
【００３９】
本明細書において、前記軟性印刷回路基板の一側端部に位置する陽極パッドおよび陰極パッドは、前記軟性印刷回路基板の長手方向に互いに平行に実装され、
前記軟性印刷回路基板の他側端部に位置する陽極パッドおよび陰極パッドは、前記軟性印刷回路基板の長手方向に垂直な方向に互いに平行に実装されてよい。
【００４０】
図２に示されているように、前記軟性印刷回路基板１００の一側端部に位置する陽極パッド１および陰極パッド２は、前記軟性印刷回路基板の長手方向に互いに平行に実装され、前記軟性印刷回路基板の他側端部に位置する陽極パッド１および陰極パッド２は、前記軟性印刷回路基板の長手方向に垂直な方向に互いに平行に実装されてよい。
【００４１】
本明細書において、前記２以上の軟性印刷回路基板のうちのいずれか１つの軟性印刷回路基板の端部に軟性印刷回路基板の長手方向に実装された陽極パッドおよび陰極パッドと、前記いずれか１つの軟性印刷回路基板に隣接するもう１つの軟性印刷回路基板の端部に軟性印刷回路基板の長手方向に垂直な方向に実装された陽極パッドおよび陰極パッドとは、前記ろう付け部およびワイヤボンディング部のうちのいずれか１つ以上によってそれぞれ通電することができる。
【００４２】
図５に示されているように、前記２以上の軟性印刷回路基板１００のうちのいずれか１つの軟性印刷回路基板の端部に軟性印刷回路基板の長手方向に実装された陽極パッドおよび陰極パッドと、前記いずれか１つの軟性印刷回路基板に隣接するもう１つの軟性印刷回路基板の端部に軟性印刷回路基板の長手方向に垂直な方向に実装された陽極パッドおよび陰極パッドとは、前記ろう付け部およびワイヤボンディング部３０のうちのいずれか１つ以上によってそれぞれ通電することができる。
【００４３】
本明細書において、前記ろう付け部の幅は、０．１〜２ｍｍであってよい。
【００４４】
本明細書において、前記ろう付け部は、黄銅ろう、銀ろう、洋銀ろう、マンガンろう、金ろう、鉛−スズの合金、鉛−スズ−亜鉛の合金、鉛−カドミウムの合金、亜鉛−カドミウム鉛、および鉛−スズ−ビスマス系の合金のうちのいずれか１つを含むことができる。
【００４５】
本明細書において、前記ワイヤボンディング部は、直径が０．１〜２ｍｍのワイヤを含むことができる。
【００４６】
本明細書において、前記基板および軟性印刷回路基板の間に、前記軟性印刷回路基板に対応して位置した異方性導電フィルムをさらに含むことができる。
【００４７】
より詳細には、本発明の一実施態様は、基板と、前記基板上の周縁に位置する異方性導電フィルムと、前記異方性導電フィルム上に位置する軟性印刷回路基板と、前記軟性印刷回路基板の互いに隣接する端部に実装された陽極パッドおよび陰極パッドをそれぞれ通電するろう付け部およびワイヤボンディング部のうちのいずれか１つ以上とを含むものである、軟性印刷回路基板の構造体を提供することができる。
【００４８】
本発明の他の実施態様は、基板と、前記基板上の周縁に互いに対向して位置し、陽極パッドおよび陰極パッドが実装された一対の下部軟性印刷回路基板と、前記基板上の周縁に互いに対向し、前記下部軟性印刷回路基板上に一部が重なるように位置し、陽極パッドおよび陰極パッドが実装された一対の上部軟性印刷回路基板とを含み、
前記上部軟性印刷回路基板中の、前記下部軟性印刷回路基板と重なる部分に形成されたホールに満たされた伝導性物質によって、重なった上部軟性印刷回路基板の陽極パッドおよび陰極パッドと、下部軟性印刷回路基板の陽極パッドおよび陰極パッドとがそれぞれ通電するものである、軟性印刷回路基板の構造体を提供する。
【００４９】
本明細書において、「前記下部軟性印刷回路基板と上部軟性印刷回路基板とが一部が重なるように位置」するとは、前記下部軟性印刷回路基板と上部軟性印刷回路基板とが互いに重なり、前記下部軟性印刷回路基板と上部軟性印刷回路基板とが互いに平行でなければ、互いに重畳する位置は、特に限定しない。この時、前記下部軟性印刷回路基板と上部軟性印刷回路基板とが互いに平行でないとは、前記下部軟性印刷回路基板と上部軟性印刷回路基板とのなす鋭角が０゜超、９０゜以下であることを意味する。
【００５０】
図６を参照して説明すれば、前記下部軟性印刷回路基板１５０と上部軟性印刷回路基板１６０とのなす鋭角が９０゜の場合は、図６に示されているように示され、前記上部軟性印刷回路基板１６０中の、下部軟性印刷回路基板と上部軟性印刷回路基板との重なる部分に上部軟性印刷回路基板のホール５０に満たされた伝導性物質によって、軟性印刷回路基板の陽極パッドおよび陰極パッドと、下部軟性印刷回路基板の陽極パッドおよび陰極パッドとがそれぞれ通電することができる。
【００５１】
本明細書において、「陽極パッドおよび陰極パッドがそれぞれ通電する」とは、陽極パッドは陽極パッド同士に伝導性物質で連結し、陰極パッドは陰極パッド同士に伝導性物質で連結して電流を通すようにすることを意味する。
【００５２】
具体的には、重なった上部軟性印刷回路基板の陽極パッドと下部軟性印刷回路基板の陽極パッドとを、ホールに満たされた伝導性物質によって電流を通すようにし、重なった上部軟性印刷回路基板の陰極パッドと下部軟性印刷回路基板の陰極パッドとを、ホールに満たされた伝導性物質によって電流を通すようにすることを意味する。
【００５３】
前記伝導性物質は、軟性印刷回路基板に影響を与えない一方で、電流が通り、上部軟性印刷回路基板に形成されたホールに満たされることが可能な物質であれば、特に限定しない。
【００５４】
本明細書において、前記下部軟性印刷回路基板の端部上に前記上部軟性印刷回路基板の端部が重なることができる。
【００５５】
本明細書において、前記上部軟性印刷回路基板および下部軟性印刷回路基板は、一字状の軟性印刷回路基板であってよい。
【００５６】
本明細書において、前記上部軟性印刷回路基板および下部軟性印刷回路基板の幅は、１〜５ｍｍであってよい。
【００５７】
本明細書において、前記ホールは、前記上部軟性印刷回路基板の陽極パッドおよび陰極パッドにそれぞれ形成されてよい。
【００５８】
この時、前記ホールは、前記上部軟性印刷回路基板の陽極パッドおよび陰極パッドにそれぞれ形成されるが、陽極パッドに形成されたホールと陰極パッドに形成されたホールとの距離は遠いほど好ましい。これによって、陽極パッドに形成されたホールと陰極パッドに形成されたホールとは、互いに対角線に形成されてよい。すなわち、陽極パッドまたは陰極パッドの長手方向に対して、陽極パッドに形成されたホールの中心と陰極パッドに形成されたホールの中心とを連結した線のなす角度が直角および平行でないことを意味する。より具体的には、陽極パッドまたは陰極パッドの長手方向に対して、陽極パッドに形成されたホールの中心と陰極パッドに形成されたホールの中心とを連結した線のなす鋭角は、０゜超、９０゜未満であることを意味する。
【００５９】
本明細書において、前記ホールの直径は、ホールに満たされる伝導性物質によってショートが発生しなければ、特に限定しないが、例えば、前記陽極パッドおよび陰極パッドの幅と等しいか、小さくてよい。
【００６０】
本明細書において、前記陽極パッドのホールの中心と前記陰極パッドのホールの中心との間の距離は、０．５〜２ｍｍであってよい。
【００６１】
本明細書において、前記伝導性物質は、鉛を含むことができる。具体的には、前記伝導性物質は、ろう付けによってホールに満たされたものであってよい。
【００６２】
本明細書において、前記伝導性物質は、黄銅ろう、銀ろう、洋銀ろう、マンガンろう、金ろう、鉛−スズの合金、鉛−スズ−亜鉛の合金、鉛−カドミウムの合金、亜鉛−カドミウム鉛、および鉛−スズ−ビスマス系の合金のうちのいずれか１つであってよい。
【００６３】
本明細書において、前記上部軟性印刷回路基板および下部軟性印刷回路基板は、２層以上の多層構造であってよい。
【００６４】
本明細書において、前記上部軟性印刷回路基板が２層以上の多層構造であれば、前記上部軟性印刷回路基板の最上層は、前記上部軟性印刷回路基板の長手方向に延びて設けられ、
前記下部軟性印刷回路基板上に前記上部軟性印刷回路基板の最上層の端部が重なるように位置することができる。
【００６５】
本明細書において、前記上部軟性印刷回路基板および下部軟性印刷回路基板は、２層以上の多層構造であれば、前記軟性印刷回路基板の最上層は、外部からパワーを発光部に伝達させる電極部分の役割を果たす。
【００６６】
本明細書において、前記上部軟性印刷回路基板および下部軟性印刷回路基板は、３層以上の多層構造であれば、前記軟性印刷回路基板の最上層は、外部からパワーを発光部に伝達させる電極部分の役割を果たし、前記軟性印刷回路基板の中間層は、互いに離隔している同一電極を等電位させる役割を果たし、前記軟性印刷回路基板の最下層は、発光部の電極と異方性導電フィルムで結合され、前記軟性印刷回路基板の最上層からパワーを受けて発光部に伝達する役割を果たす。
【００６７】
前記軟性印刷回路基板の材料は、当技術分野における一般的な材料で使用することができ、特に限定しない。例えば、銅（Ｃｕ）に金（Ａｕ）をめっきした線を回路線として使用することができ、前記回路線を、ポリイミドフィルム（Ｐｏｌｙｉｍｉｄｅ  ｆｉｌｍ）を用いて外部から絶縁して通電する。
【００６８】
本明細書において、「最上層」は、相対的に基板から遠い方に位置する層を意味し、前記「最下層」は、相対的に基板から近い方に位置する層を意味し、前記「中間層」は、最上層と最下層との間に位置する層を意味する。
【００６９】
下部軟性印刷回路基板上に上部軟性印刷回路基板が重なると、図９に示されているように、上部軟性印刷回路基板が折り曲げられ、表示された部分が損傷することがある。
【００７０】
この時、図１０に示されているように、上部軟性印刷回路基板が多層構造であり、上部軟性印刷回路基板の最上層１８０は、前記上部軟性印刷回路基板の長手方向に延びて突出部が形成され、前記下部軟性印刷回路基板１５０上に前記上部軟性印刷回路基板の最上層１８０の端部（すなわち、突出部）が重なるように位置することができる。
【００７１】
本明細書において、前記ホールは、多層構造の上部軟性印刷回路基板の最上層の端部に形成された陽極パッドおよび陰極パッドにそれぞれ形成されてよい。
【００７２】
本明細書において、前記基板および軟性印刷回路基板の間に、前記軟性印刷回路基板に対応して位置した異方性導電フィルムをさらに含むことができる。
【００７３】
本明細書のさらに他の実施態様は、少なくとも一側端部に軟性印刷回路基板の長手方向に突出した陽極リード端子および陰極リード端子が設けられた軟性印刷回路基板を提供する。
【００７４】
図３を参照して説明すれば、前記軟性印刷回路基板１００は、絶縁フィルム基材１０と、前記絶縁フィルム基材に実装された陽極部２０および陰極部２５と、前記絶縁フィルム基材の一側端部には、互いに平行に実装された陽極パッド１および陰極パッド２と、軟性印刷回路基板の長手方向に突出した陽極リード端子５および陰極リード端子６とを含むことができる。
【００７５】
本明細書において、基板と、前記基板上の周縁に位置する２以上の軟性印刷回路基板とを含み、前記軟性印刷回路基板の一側端部には、前記軟性印刷回路基板の長手方向に突出した陽極リード端子および陰極リード端子が設けられ、前記軟性印刷回路基板の他側端部には、陽極パッドおよび陰極パッドが実装され、前記軟性印刷回路基板のうちのいずれか１つの軟性印刷回路基板の端部の陽極パッドおよび陰極パッド上に、前記いずれか１つの軟性印刷回路基板に隣接するもう１つの軟性印刷回路基板の陽極リード端子および陰極リード端子がそれぞれ対応して重なり、互いに伝導性物質によって通電するものである、軟性印刷回路基板の構造体を提供する。
【００７６】
図７に示されているように、前記軟性印刷回路基板１００の一側端部には、前記軟性印刷回路基板の長手方向に突出した陽極リード端子５および陰極リード端子６が設けられ、前記軟性印刷回路基板の他側端部には、陽極パッド１および陰極パッド２が実装され、前記軟性印刷回路基板のうちのいずれか１つの軟性印刷回路基板の端部の陽極パッド１および陰極パッド２上に、前記いずれか１つの軟性印刷回路基板に隣接するもう１つの軟性印刷回路基板の陽極リード端子５および陰極リード端子６がそれぞれ対応して重なり、互いに伝導性物質によって通電することができる。
【００７７】
本明細書において、基板と、前記基板上の周縁に互いに対向して位置し、両側端部にそれぞれ陽極パッドおよび陰極パッドが実装された一対の下部軟性印刷回路基板と、前記基板上の周縁に互いに対向して位置し、両側端部に長手方向に突出した陽極リード端子および陰極リード端子がそれぞれ設けられた一対の上部軟性印刷回路基板とを含み、
前記下部軟性印刷回路基板の陽極パッドおよび陰極パッド上に、前記下部軟性印刷回路基板に隣接する上部軟性印刷回路基板の陽極リード端子および陰極リード端子がそれぞれ対応して重なり、互いに伝導性物質によって通電するものである、軟性印刷回路基板の構造体を提供する。
【００７８】
図８に示されているように、前記下部軟性印刷回路基板１５０の陽極パッド１および陰極パッド２上に、前記下部軟性印刷回路基板に隣接する上部軟性印刷回路基板１６０の陽極リード端子５および陰極リード端子６がそれぞれ対応して重なり、互いに伝導性物質によって通電することができる。
【００７９】
本明細書において、前記軟性印刷回路基板は、一字状の軟性印刷回路基板であってよい。
【００８０】
本明細書において、前記軟性印刷回路基板の幅は、１〜５ｍｍであってよい。
【００８１】
本明細書において、前記軟性印刷回路基板に実装された陽極パッドおよび陰極パッドは、前記軟性印刷回路基板の長手方向に垂直な方向に互いに平行に実装されてよい。
【００８２】
本明細書において、前記伝導性物質は、ろう付けによって形成されてよい。
【００８３】
本明細書において、前記ろう付けに使用されるろうは、黄銅ろう、銀ろう、洋銀ろう、マンガンろう、金ろう、鉛−スズの合金、鉛−スズ−亜鉛の合金、鉛−カドミウムの合金、亜鉛−カドミウム鉛、および鉛−スズ−ビスマス系の合金のうちのいずれか１つであってよい。
【００８４】
本明細書において、前記軟性印刷回路基板は、２層以上の多層構造であってよい。
【００８５】
本明細書において、前記陽極リード端子および陰極リード端子は、前記軟性印刷回路基板の最外郭層の端部に前記軟性印刷回路基板の長手方向に突出することができる。
【００８６】
図１０に示されているように、上部軟性印刷回路基板が多層構造であり、前記陽極リード端子および陰極リード端子は、上部軟性印刷回路基板の最上層１８０の端部に前記軟性印刷回路基板の長手方向に突出することができる。この時、前記陽極リード端子および陰極リード端子は、図１０における突出部に相当し、前記下部軟性印刷回路基板１５０上に、前記上部軟性印刷回路基板の最上層１８０に設けられた前記陽極リード端子および陰極リード端子（すなわち、突出部）が重なるように位置することができる。
【００８７】
本明細書において、前記基板および軟性印刷回路基板の間に、前記軟性印刷回路基板に対応して位置する異方性導電フィルムをさらに含むことができる。
【００８８】
本明細書において、軟性印刷回路基板の構造体の製造方法は、１）基板上の周縁に２以上の軟性印刷回路基板を設けるステップと、２）前記軟性印刷回路基板のうちの互いに隣接するものを、ろう付けおよびワイヤボンディングのうちのいずれか１つ以上の方法で通電させるステップとを含むことができる。
【００８９】
本明細書において、「基板上の周縁」は、基板の一側面のうちの縁または外角部分を意味する。
【００９０】
本明細書において、「互いに隣接」するとは、いずれか１つの軟性印刷回路基板ともう１つの軟性印刷回路基板とが互いに近くにあることを意味し、具体的には、互いに重畳すること（すなわち、重なること）、互いに当接したこと、および互いに離隔することを含む。
【００９１】
前記ろう付けの方法は、当技術分野で知られている通常の方法を使用しており、これを限定しない。
【００９２】
前記ワイヤボンディングの方法は、当技術分野で知られている通常の方法を使用しており、これを限定しない。
【００９３】
本明細書において、前記軟性印刷回路基板は、一字状の軟性印刷回路基板であってよい。
【００９４】
本明細書において、前記２以上の軟性印刷回路基板は、４つの一字状の軟性印刷回路基板を含むことができる。
【００９５】
本明細書において、基板が四角形の場合には、基板上の周縁、すなわち、縁に一辺あたり１つの一字状の軟性印刷回路基板を配置することができる。この場合、計４つの一字状の軟性印刷回路基板が基板の各辺に設けられる。
【００９６】
この時、四角形の基板の４つの辺に設けられた軟性印刷回路基板の端部は、それぞれ互いに重畳するか、互いに離隔して配置されてよい。
【００９７】
本明細書において、前記軟性印刷回路基板の幅は、１〜５ｍｍであってよい。
【００９８】
本明細書において、前記ろう付けの幅は、０．１〜２ｍｍであってよい。
【００９９】
本明細書において、前記ろう付けに使用されるろうは、黄銅ろう、銀ろう、洋銀ろう、マンガンろう、金ろう、鉛−スズの合金、鉛−スズ−亜鉛の合金、鉛−カドミウムの合金、亜鉛−カドミウム鉛、および鉛−スズ−ビスマス系の合金のうちのいずれか１つであってよい。
【０１００】
本明細書において、前記ワイヤボンディングに使用されるワイヤの直径は、０．１〜２ｍｍであってよい。
【０１０１】
本明細書において、前記１）ステップの前に、前記基板上に、前記軟性印刷回路基板に対応する位置に異方性導電フィルムを設けるステップを追加することができる。
【０１０２】
具体的には、基板上の周縁に異方性導電フィルムを設けた後、前記異方性導電フィルム上に２以上の軟性印刷回路基板を設ける。以後、前記軟性印刷回路基板のうちの互いに隣接するものを、ろう付けおよびワイヤボンディングのうちのいずれか１つ以上の方法で通電させることができる。
【０１０３】
図１１に示されているように、具体的には、基板上の周縁に異方性導電フィルムを設けた後、前記異方性導電フィルム上に２以上の軟性印刷回路基板を設ける。以後、前記軟性印刷回路基板のうちの互いに隣接するものを、ろう付けおよびワイヤボンディングのうちのいずれか１つ以上の方法で通電させることができる。
【０１０４】
本明細書において、前記２以上の軟性印刷回路基板は、互いに重畳しないものであってよい。すなわち、前記２以上の軟性印刷回路基板が互いに重ならなくてよい。
【０１０５】
本明細書において、前記２以上の軟性印刷回路基板は、互いに離隔することができる。すなわち、前記２以上の軟性印刷回路基板が互いに一定間隔で離れた状態であってよい。
【０１０６】
この時、前記軟性印刷回路基板の間の隔離距離は、０ｍｍ超、１ｍｍ以下であってよい。
【０１０７】
本明細書において、前記２以上の軟性印刷回路基板は、陽極パッドおよび陰極パッドが実装されており、
前記２）ステップにおいて、前記軟性印刷回路基板の互いに隣接する端部に実装された陽極パッドおよび陰極パッドを、ろう付けおよびワイヤボンディングのうちのいずれか１つ以上の方法で互いに通電させることができる。
【０１０８】
この時、前記軟性印刷回路基板の互いに隣接する端部に実装された陽極パッドおよび陰極パッドを互いに通電させる時、陽極パッドは陽極パッド同士にろう付けおよびワイヤボンディングのうちのいずれか１つ以上の方法で連結して電流を通すようにし、陰極パッドは陰極パッド同士にろう付けおよびワイヤボンディングのうちのいずれか１つ以上の方法で連結して電流を通すようにすることを意味する。
【０１０９】
本明細書において、前記軟性印刷回路基板の端部に位置する陽極パッドおよび陰極パッドは、互いに平行に実装されてよい。この時、前記陽極パッドおよび陰極パッドが実装された方向は、軟性印刷回路基板の端部に位置しながら、陽極パッドおよび陰極パッドが互いに平行であれば、特に限定されない。
【０１１０】
本明細書において、前記軟性印刷回路基板の前記軟性印刷回路基板の両側端部に位置する陽極パッドおよび陰極パッドは、互いに平行に実装されてよい。この時、一側端部に位置する陽極パッドおよび陰極パッドが実装された方向と、他側端部に位置する陽極パッドおよび陰極パッドが実装された方向と一致するか、互いに異なっていてよい。
【０１１１】
本明細書において、前記２以上の軟性印刷回路基板のうちのいずれか１つの軟性印刷回路基板の端部に互いに平行に実装された陽極パッドおよび陰極パッドと、前記いずれか１つの軟性印刷回路基板に隣接するもう１つの軟性印刷回路基板の端部に互いに平行に実装された陽極パッドおよび陰極パッドとは、前記ろう付け部およびワイヤボンディング部のうちのいずれか１つ以上によってそれぞれ通電することができる。
【０１１２】
本明細書において、前記軟性印刷回路基板の一側端部に位置する陽極パッドおよび陰極パッドは、前記軟性印刷回路基板の長手方向に互いに平行に実装され、
前記軟性印刷回路基板の他側端部に位置する陽極パッドおよび陰極パッドは、前記軟性印刷回路基板の長手方向に垂直な方向に互いに平行に実装されてよい。
【０１１３】
本明細書において、前記２）ステップにおいて、前記２以上の軟性印刷回路基板のうちのいずれか１つの軟性印刷回路基板の端部に軟性印刷回路基板の長手方向に実装された陽極パッドおよび陰極パッドと、前記いずれか１つの軟性印刷回路基板に隣接するもう１つの軟性印刷回路基板の端部に軟性印刷回路基板の長手方向に垂直な方向に実装された陽極パッドおよび陰極パッドとを、ろう付けおよびワイヤボンディングのうちのいずれか１つ以上の方法によって互いに通電させることができる。
【０１１４】
本明細書において、前記１）ステップは、前記基板の縁に互いに対向して位置し、陽極パッドおよび陰極パッドが実装された一対の下部軟性印刷回路基板と、
前記基板の縁に互いに対向し、前記下部軟性印刷回路基板上に一部が重なるように位置し、陽極パッドおよび陰極パッドが実装された一対の上部軟性印刷回路基板とを設けるステップであり、
前記２）ステップは、前記上部軟性印刷回路基板中の、前記下部軟性印刷回路基板と重なる部分にホールを形成し、
前記ホールにろう付けした後、前記ホールに満たされたろうによって、互いに重なった前記上部軟性印刷回路基板の陽極パッドおよび陰極パッドと、前記下部軟性印刷回路基板の陽極パッドおよび陰極パッドとをそれぞれ通電させるステップであってよい。
【０１１５】
本明細書において、前記１）ステップは、前記下部軟性印刷回路基板の端部上に前記上部軟性印刷回路基板の端部が重なるように設けることができる。
【０１１６】
本明細書において、前記ホールは、前記上部軟性印刷回路基板の陽極パッドおよび陰極パッドにそれぞれ形成されてよい。
【０１１７】
本明細書において、前記ホールの直径は、前記陽極パッドおよび陰極パッドの幅と等しいか、小さくてよい。
【０１１８】
本明細書において、前記陽極パッドのホールの中心と前記陰極パッドのホールの中心との間の距離は、０．５〜２ｍｍであってよい。
【０１１９】
本明細書において、前記上部軟性印刷回路基板および下部軟性印刷回路基板は、２層以上の多層構造であってよい。
【０１２０】
本明細書において、前記上部軟性印刷回路基板の最外郭層は、前記上部軟性印刷回路基板の長手方向に延びて設けられ、
前記下部軟性印刷回路基板上に前記上部軟性印刷回路基板の最外郭層の端部が重なるように位置することができる。
【０１２１】
本明細書において、前記軟性印刷回路基板の一側端部には、前記軟性印刷回路基板の長手方向に突出した陽極リード端子および陰極リード端子が設けられ、前記軟性印刷回路基板の他側端部には、陽極パッドおよび陰極パッドが実装され、
前記２）ステップにおいて、前記軟性印刷回路基板のうちのいずれか１つの軟性印刷回路基板の端部の陽極パッドおよび陰極パッド上に、前記いずれか１つの軟性印刷回路基板に隣接するもう１つの軟性印刷回路基板の陽極リード端子および陰極リード端子をそれぞれ対応させて重ね、互いにろう付けによって通電させることができる。
【０１２２】
本明細書において、前記１）ステップは、前記基板の縁に互いに対向して位置し、両側端部にそれぞれ陽極パッドおよび陰極パッドが実装された一対の下部軟性印刷回路基板と、
前記基板の縁に互いに対向して位置し、両側端部に長手方向に突出した陽極リード端子および陰極リード端子がそれぞれ設けられた一対の上部軟性印刷回路基板とを設けるステップであり、
前記２）ステップは、前記下部軟性印刷回路基板の陽極パッドおよび陰極パッド上に、前記上部軟性印刷回路基板の陽極リード端子および陰極リード端子がそれぞれ対応して重なり、互いにろう付けによって通電させることができる。
【０１２３】
本明細書において、前記軟性印刷回路基板は、２層以上の多層構造であってよい。
【０１２４】
本明細書において、前記陽極リード端子および陰極リード端子は、前記軟性印刷回路基板の最外郭層の端部に前記軟性印刷回路基板の長手方向に突出することができる。
【０１２５】
前記軟性印刷回路基板の構造体の製造方法のうち、軟性印刷回路基板の構造体と重複する構成に関する説明は同様に引用できる。
【０１２６】
本明細書は、前記軟性印刷回路基板の構造体を含むディスプレイ素子を提供する。
【０１２７】
前記ディスプレイ素子は、プラズマディスプレイパネル（Ｐｌａｓｍａ  Ｄｉｓｐｌａｙ  Ｐａｎｅｌ、ＰＤＰ）、タッチパネル、発光ダイオード（Ｌｉｇｈｔ  Ｅｍｉｔｔｉｎｇ  Ｄｉｏｄｅ、ＬＥＤ）、有機発光素子（Ｏｒｇａｎｉｃ  Ｌｉｇｈｔ  Ｅｍｉｔｔｉｎｇ  Ｄｉｏｄｅ、ＯＬＥＤ）、液晶表示装置（Ｌｉｑｕｉｄ  Ｃｒｙｓｔａｌ  Ｄｉｓｐｌａｙ、ＬＣＤ）、薄膜トランジスタ液晶表示装置（Ｔｈｉｎ  ＦＩｌｍ  Ｔｒａｎｓｉｓｔｏｒ−Ｌｉｑｕｉｄ  Ｃｒｙｓｔａｌ  Ｄｉｓｐｌａｙ、ＬＣＤ−ＴＦＴ）、および陰極線管（Ｃａｔｈｏｄｅ  Ｒａｙ  Ｔｕｂｅ、ＣＲＴ）のうちのいずれか１つであってよい。
【０１２８】
本明細書は、前記軟性印刷回路基板の構造体を含む有機発光素子を提供する。
【０１２９】
前記有機発光素子のうち、軟性印刷回路基板の構造体と重複する構成に関する説明は同様に引用できる。
【０１３０】
本明細書は、画像を表示する表示部と、その外側に位置する非表示部とを含む基板と、前記非表示部に位置する２以上の軟性印刷回路基板と、前記軟性印刷回路基板のうちの互いに隣接するものを通電するろう付け部およびワイヤボンディング部のうちのいずれか１つ以上とを含む有機発光素子を提供する。
【０１３１】
本明細書は、前記軟性印刷回路基板は、一字状の軟性印刷回路基板であってよい。
【０１３２】
本明細書は、前記２以上の軟性印刷回路基板は、４つの一字状の軟性印刷回路基板を含むことができる。
【０１３３】
本明細書は、前記軟性印刷回路基板の幅は、１〜５ｍｍであってよい。
【０１３４】
本明細書は、前記ろう付け部の幅は、０．１〜２ｍｍであってよい。
【０１３５】
本明細書は、前記ろう付け部は、黄銅ろう、銀ろう、洋銀ろう、マンガンろう、金ろう、鉛−スズの合金、鉛−スズ−亜鉛の合金、鉛−カドミウムの合金、亜鉛−カドミウム鉛、および鉛−スズ−ビスマス系の合金のうちのいずれか１つを含むことができる。
【０１３６】
本明細書は、前記ワイヤボンディング部は、直径が０．１〜２ｍｍのワイヤを含むことができる。
【０１３７】
本明細書は、前記基板および軟性印刷回路基板の間に、前記軟性印刷回路基板に対応して位置する異方性導電フィルムをさらに含むことができる。
【０１３８】
図１２に示されているように、前記基板および軟性印刷回路基板の間に、前記軟性印刷回路基板に対応して位置する異方性導電フィルムをさらに含むことができる。
【０１３９】
前記異方性導電フィルムは、軟性印刷回路基板を基板に接着しながら通電する材料として使用され、前記異方性導電フィルムは、熱によって硬化される接着剤とその中に微細な導電ボールを混合させた両面テープ状態の材料で、高温の圧力を加えると、回路パターンのパッドが当接する部分の導電ボールが破壊されながら、破壊された導電ボールがパッド間の通電を行い、パッド部分以外の部分は接着剤が硬化されて互いに接着させる。このように接着された異方性導電フィルムは、厚さ方向には導電性を呈して通電させ、横方向には絶縁性を示す。
【０１４０】
本明細書は、前記２以上の軟性印刷回路基板は、互いに重畳しないものであってよい。
【０１４１】
本明細書は、前記２以上の軟性印刷回路基板は、互いに離隔することができる。
【０１４２】
本明細書は、前記軟性印刷回路基板の間の隔離距離は、０ｍｍ超過１ｍｍ以下であってよい。
【０１４３】
本明細書は、前記２以上の軟性印刷回路基板は、陽極パッドおよび陰極パッドが実装されており、
前記ろう付け部およびワイヤボンディング部は、前記軟性印刷回路基板の互いに隣接する端部にそれぞれ実装された陽極パッドおよび陰極パッドをそれぞれ通電することができる。
【０１４４】
本明細書は、前記軟性印刷回路基板の端部に位置する陽極パッドおよび陰極パッドは、互いに平行に実装されてよい。
【０１４５】
本明細書は、前記軟性印刷回路基板の一側端部に位置する陽極パッドおよび陰極パッドは、前記軟性印刷回路基板の長手方向に互いに平行に実装され、
前記軟性印刷回路基板の他側端部に位置する陽極パッドおよび陰極パッドは、前記軟性印刷回路基板の長手方向に垂直な方向に互いに平行に実装されてよい。
【０１４６】
本明細書は、前記２以上の軟性印刷回路基板のうちのいずれか１つの軟性印刷回路基板の端部に軟性印刷回路基板の長手方向に実装された陽極パッドおよび陰極パッドと、前記いずれか１つの軟性印刷回路基板に隣接するもう１つの軟性印刷回路基板の端部に軟性印刷回路基板の長手方向に垂直な方向に実装された陽極パッドおよび陰極パッドとは、前記ろう付け部およびワイヤボンディング部のうちのいずれか１つ以上によってそれぞれ通電することができる。
【０１４７】
本明細書は、前記２以上の軟性印刷回路基板は、前記非表示部に互いに対向して位置し、陽極パッドおよび陰極パッドが実装された一対の下部軟性印刷回路基板と、
前記非表示部に互いに対向し、前記下部軟性印刷回路基板上に一部が重なるように位置し、陽極パッドおよび陰極パッドが実装された一対の上部軟性印刷回路基板とを含み、
前記上部軟性印刷回路基板中の、前記下部軟性印刷回路基板と重なる部分に形成されたホールに満たされたろう付け部によって、重なった上部軟性印刷回路基板の陽極パッドおよび陰極パッドと、下部軟性印刷回路基板の陽極パッドおよび陰極パッドとがそれぞれ通電することができる。
【０１４８】
本明細書は、前記下部軟性印刷回路基板の端部上に前記上部軟性印刷回路基板の端部が重なることができる。
【０１４９】
本明細書は、前記ホールは、上部軟性印刷回路基板の陽極パッドおよび陰極パッドに形成されてよい。
【０１５０】
本明細書は、前記ホールの直径は、前記陽極パッドおよび陰極パッドの幅と等しいか、小さくてよい。
【０１５１】
本明細書は、前記陽極パッドのホールの中心と前記陰極パッドのホールの中心との間の距離は、０．５〜２ｍｍであってよい。
【０１５２】
本明細書は、前記上部軟性印刷回路基板および下部軟性印刷回路基板は、２層以上の多層構造であってよい。
【０１５３】
本明細書は、前記上部軟性印刷回路基板の最外郭層は、前記上部軟性印刷回路基板の長手方向に延びて設けられ、
前記下部軟性印刷回路基板上に前記上部軟性印刷回路基板の最外郭層の端部が重なるように位置することができる。
【０１５４】
本明細書は、前記軟性印刷回路基板の一側端部には、前記軟性印刷回路基板の長手方向に突出した陽極リード端子および陰極リード端子が設けられ、前記軟性印刷回路基板の他側端部には、陽極パッドおよび陰極パッドが実装され、
前記軟性印刷回路基板のうちのいずれか１つの軟性印刷回路基板の端部の陽極パッドおよび陰極パッド上に、前記いずれか１つの軟性印刷回路基板に隣接するもう１つの軟性印刷回路基板の陽極リード端子および陰極リード端子がそれぞれ対応して重なり、互いにろう付け部によって通電することができる。
【０１５５】
本明細書は、前記非表示部に互いに対向して位置し、両側端部にそれぞれ陽極パッドおよび陰極パッドが実装された一対の下部軟性印刷回路基板と、
前記非表示部に互いに対向して位置し、両側端部に長手方向に突出した陽極リード端子および陰極リード端子がそれぞれ設けられた一対の上部軟性印刷回路基板とを含み、
前記軟性印刷回路基板のうちのいずれか１つの軟性印刷回路基板の端部の陽極パッドおよび陰極パッド上に、前記いずれか１つの軟性印刷回路基板に隣接するもう１つの軟性印刷回路基板の陽極リード端子および陰極リード端子がそれぞれ対応して重なり、互いにろう付け部によって通電することができる。
【０１５６】
本明細書は、前記軟性印刷回路基板は、２層以上の多層構造であってよい。
【０１５７】
本明細書は、前記陽極リード端子および陰極リード端子は、前記軟性印刷回路基板の最外郭層の端部に前記軟性印刷回路基板の長手方向に突出したものであってよい。
【符号の説明】
【０１５８】
１  陽極パッド
２  陰極パッド
５  陽極リード端子
６  陰極リード端子
１０  絶縁フィルム基材
２０  陽極部
２５  陰極部
３０  ろう付け部またはワイヤボンディング部
５０  ホール
１００  軟性印刷回路基板
１５０  下部軟性印刷回路基板
１６０  上部軟性印刷回路基板
１８０  上部軟性印刷回路基板の最上層
【図１】
0006314222.tif 000002
【図２】
0006314222.tif 000003
【図３】
0006314222.tif 000004
【図４】
0006314222.tif 000005
【図５】
0006314222.tif 000006
【図６】
0006314222.tif 000007
【図７】
0006314222.tif 000008
【図８】
0006314222.tif 000009
【図９】
0006314222.tif 000010
【図１０】
0006314222.tif 000011
【図１１】
0006314222.tif 000012
【図１２】
0006314222.tif 000013